(57)【特許請求の範囲】
【請求項１】
（ａ）内面（３）、開口（７）、および吸気手段（６）を備える剛性外側容器（１）であって、前記開口（７）が着脱式蓋（５）を備え、前記吸気手段（６）が封止可能なオリフィス（１１）およびシール機構を備える剛性外側容器（１）と、
（ｂ）液体製品を包含するための可撓性内側本体（４）であって、前記可撓性内側本体（４）が前記開口（７）の周囲で前記剛性外側容器（１）に接合されている可撓性内側本体（４）と
を備える、液体製品の自動的な補充操作用の補充パッケージであって、
前記可撓性内側本体（４）は、液体を包含した場合は圧力に応じて膨張可能であり前記剛性外側容器内で膨張した形態をとり、前記圧力が取り去られた場合はその元の形状に戻る、任意の弾性材から形成され、
前記可撓性内側本体（４）が、負圧下で、剛性外側容器（１）内で予め膨張するとき、前記液体製品が、前記膨張した可撓性内側本体（４）内に保持され、
シール機構（１０）が開いているとき、外側から空気圧が前記剛性外側容器（１）の内側に入ることができ、前記予め膨張させた可撓性内側本体（４）がその元の形状に戻る、ことを特徴とする補充パッケージ。
【請求項２】
前記可撓性内側本体（４）が液体製品を包含する、請求項１に記載の補充パッケージ。
【請求項３】
前記液体製品が水より高粘度である、請求項２に記載の補充パッケージ。
【請求項４】
前記着脱式蓋（５）がねじキャップである、請求項１〜３のいずれか一項に記載の補充パッケージ。
【請求項５】
１００ｍｌ〜１０００ｍｌの液体製品容量を有する手持ち式補充容器である、請求項１〜４のいずれか一項に記載の補充パッケージ。
【請求項６】
前記剛性外側容器（１）が底壁（２）を備える、請求項１〜５のいずれか一項に記載の補充パッケージ。
【請求項７】
前記吸気手段（６）が、弁、蓋、またはシールから選択される、請求項１〜６のいずれか一項に記載の補充パッケージ。
【請求項８】
前記シールが、粘着テープおよびフィルムから選択される、請求項７に記載の補充パッケージ。
【請求項９】
前記シールが、剥離または穿孔によって操作される、請求項８に記載の補充パッケージ。
【請求項１０】
前記蓋が、キャップ、プラグ、およびピンから選択される、請求項７に記載の補充パッケージ。
【請求項１１】
前記弁が弁部品を備える、請求項７に記載の補充パッケージ。
【請求項１２】
前記吸気手段（６）が前記補充パッケージの前記底壁に配置されている、請求項６に記載の補充パッケージ。
【請求項１３】
出口弁をさらに備える、請求項１〜１２のいずれか一項に記載の補充パッケージ。
【請求項１４】
液体の流れを制御するための内側膜をさらに備える、請求項１〜１３のいずれか一項に記載の補充パッケージ。
【請求項１５】
主パックを補充する方法であって、
ｉ）請求項７〜１４のいずれか１項に記載の補充パッケージの前記開口が前記主パックの開口と整列するように、前記主パックに前記補充パッケージを配置するステップと、
ｉｉ）空気が前記剛性容器に入り、この空気により前記可撓性内側本体が前記可撓性内側本体の元の大きさにまで収縮し、したがって前記液体製品が前記主パック内に放出されるように、前記吸気手段としての前記弁を操作するステップと
を含む方法。
【発明の詳細な説明】
【技術分野】
【０００１】
本発明は、液体製品を吐出するためのパック、およびその使用方法に関する。このパックには、補充パックとしての特定の用途がある。
【背景技術】
【０００２】
補充製品は、内容物を補充することにより容器を繰り返し使用することを可能にし、今日の生活の身近な一部となってきている。多くの消費者は、例えばシャンプー等の洗剤および布用コンディショナーのようなホームケア製品およびパーソナルケア製品を含めて、多種多様な製品のために容器を補充して再利用することを選ぶ。補充はまた、食品産業においても一般的である。
【０００３】
補充は一般に、資源の消費を減らすのみではなく、製品使用後に廃棄される廃棄物の量も減らす。補充システムに対する消費者の要求は、環境的考慮および経済的考慮がより普及するにつれて高まっている。
【０００４】
補充パックとして使用するための液体吐出用パックは既知のものが多数存在しており、または補充パックのために使用するのに適したパックが多数存在する。
【０００５】
欧州特許第２８３２６５８号明細書は、粘性製品用の吐出容器であって、可撓性側壁と、粘性製品を包含するのに適しており、かつ収容体の内側に配置されたバッグと、製品用供給孔を備える収容体の蓋頭部であって、製品を外側に向けて保持するための圧力を維持し、かつ外部の空気が容器内に入ることを防止するための製品出口弁を有する蓋頭部とを備える収容体を備える吐出容器を開示している。このバッグは、その開口により収容体のネックの領域に密閉して取り付けられた弾性バッグであり、前述の弾性バッグの外側面と収容体の側壁の内側面との間に第１の漏れ止めチャンバが形成されている。頭部および弾性バッグは第２の漏れ止めチャンバを形成しており、収容体は、空気吸込弁を備える孔を有し、空気吸込弁は、前述の第１の漏れ止めチャンバがへこむのに応じて、外側から第１の漏れ止めチャンバの内側に向かってのみ空気が流れることを可能にするのに適している。
【０００６】
独国特許出願公開第１０２００８０１６７８９号明細書は、可撓性プラスチック材から作られた外側容器を有する容量規制容器を開示している。容器の頭部は円筒状であり、外部の機械的圧力のみで流体の排出を可能にする弁機構を有する。密閉カバーが取り付けられ、密閉カバーは、運搬中に容量規制容器の壁に不用意な圧力が生じることによる流体の排出を防止するために、円筒状頭部に螺合される。
【０００７】
独国特許出願公開第２０２００４０１５１７７号明細書は粘性流体用の容器を開示しており、この容器は、外壁の内側で圧力下に置かれたエアクッションを有する。外側の空気をエアクッション内に導入するための吸入弁が、外壁、または出口開口とは反対にある側の近くに据え付けられている。外壁は弾性的に変形可能であり、エアクッションが圧力下に置かれた場合、外圧により一時的に少なくとも部分的に圧縮可能である。停止部が、その圧縮度を制限するために、外壁の内側に取り付けられてもよい。
【０００８】
欧州特許第１３４８６４２号明細書は、液体製品を吐出するためのパッケージを開示しており、このパッケージは、可撓性のある弾性側壁と、出口開口を囲む仕上げ部とを有する外側シェルを含む。内側バッグ状ライナが、外側シェル内に配置されており、製品がライナから吐出された場合、外側シェルに対して折りたためるように、外側シェルの側壁および底壁に取り付けられている。吐出構造体が仕上げ部に固定されている。外側シェルの底壁の開口が、シェルとライナとの間の容量を大気に対して放出する。製品は、側壁が圧搾された場合に吐出される。
【０００９】
独国特許第１９９１７５３０号明細書は、外側部分と内側補充ボトルとからなる圧搾可能ボトルを開示している。中間空間を弁ポンプにより空気で満たすことができる。その後、中間空間のエアクッションを加圧することによって排出が行われる。
【００１０】
欧州特許第１０４７６１６号明細書は、液体製品、粘性製品、パスタ製品、粉末製品、または粒状製品、ならびに固形製品用の自己排出容器を開示している。この容器は剛性材料からなり、容器を空にする（充満してもよい）ためのコネクタと接触した閉鎖圧力チャンバと、コネクタを介して容器が空になるように、容器内に圧力をかける目的で圧力チャンバを加圧するための加圧装置とを含む。制御装置は、正確な計量での排出、または投与を行うために、コネクタ、または前述の容器における弁の表面に含まれていてもよい。
【００１１】
国際公開第９６２８３５３号は、空気吸込口を有する外側合成樹脂層と、剥離され得るように外側層の内側で積層された内側合成樹脂層とを含む積層剥離容器を開示しており、空気吸込口の近くにおける内側層の一部のみが、前もって外側層から剥離される。空気吸込口は、積層剥離容器の口部で外側層に外側から穴をあけ、内側層を残すように外側層のみを切断することによって形成され得る。外側層から前もって部分的に剥離された内側層は、内向きに膨出したままになる場合がある。内側層は、曲げ係数が１０，０００ｋｇ／ｃｍ以下の合成樹脂から形状にされていることが好ましい。
【００１２】
欧州特許第０５６７５７４号明細書は、ブロー成形された多層容器と、分離可能な内側層および外側層ならびにベントを有する単一成形構造体を含む予備成形物とを開示している。容器は内層を有する一体物を含み、内層は、外層から容易に分離し、かつ折りたたまれて、正圧または負圧をかけることにより容器から製品を吐出する。
【００１３】
米国特許第３２２３２８９号明細書は、容器と、内部に２つの別々な空間を定める容器内の変形可能な壁であって、前述の空間のうち１つが材料で満たすことができる壁と、前述の空間の一方を外側とつなぐ吐出開口と、前述の変形可能な壁を変形させるための、前述の組立体の外側から操作可能な手段と、他方の空間を外側とつなぐ第１のベントおよび第２のベントと、第１のベントを通る外向きの空気流を妨げるための第１のベントに関連するチェック弁、および第２のベントを通る内向きの空気流を妨げるための第２のベントに関連するチェック弁と、外側から前述の一方の空間への材料の吐出を可能にする、前述の壁変形手段の第１のベントにおける操作を停止し、かつ前述の一方の空間から外側への材料の吐出を可能にする、前述の壁変形手段の前述の第２のベントにおける操作を停止するために、選択的に操作可能な手段とを備える吐出組立体を開示している。
【００１４】
独国特許第１８７５０２５号明細書は、ガラスまたはプラスチックのピストンが挿入された木製の樽からなる、ウィスキー等用の保管吐出容器を開示しており、このピストンは、少なくとも１つの充満用ノズルおよび／または吐出用ノズルにより樽の壁を通して案内される。
【００１５】
米国特許出願公開第２０１１／１６８７１７号明細書は、ハウジングを有する水性塗料用の容器を開示しており、ハウジングは、開放上部と、開放上部の周囲に延びる密閉表面とを有する。ハウジングはチャンバを定めており、このチャンバに向かって開いたベント開口を含む。可撓性バッグがチャンバ内に配置されており、チャンバは、開放上部の周囲に形成されたシールを有する開放上部を含む。このシールは、ハウジングの密閉表面と当接する。蓋は、ハウジングの開放上部を覆い、かつ密閉表面に対してシールを圧縮するように、ハウジングに取り付けられる。吐出開口が蓋に形成されている。使用中、塗料が、ハウジング内の可撓性バッグの中に包含される。塗料は吐出開口を通って処理されるため、可撓性バッグは、吐出される塗料の体積に等しい量で折りたたまれる。したがって、空気は容器の内側には導入されず、吐出される塗料の容量が補償される。塗料は乾かない。
【００１６】
スイス特許第３５０５９８号明細書は、バッグからなるパックを開示しており、バッグは、液体を通さないフィルムで部分的に作られ、かつすべての面においてバッグを囲む剛性支持体で部分的に作られており、蓋で閉じられる。バッグの上端は、支持体に固定される。蓋は入口開口を有し、支持体は少なくとも１つの開口を有する。この発明は、充填後、後から蓋を取り付ける従来の方法の代わりに、充填前に蓋を支持体に予め取り付けることにより、従来のパックの欠点を解消することを目的とする。
【００１７】
しかし、従来技術があるにもかかわらず、補充を行うことは、特に液体製品に関して面倒かつ手間のかかる場合があり、補充工程を実行するには時間がかかる場合がある。特に高濃度の液体の場合、補充パック自体に残った残存製品もまた厄介である。操作の態様はまた、包装が共に保持され、すべて同時に圧搾または圧縮される必要がある場合が多いため、補充工程中に厄介な問題になる恐れがある。これらの問題に対処する必要がある。
【００１８】
本発明者らはここにおいて、負圧がかかった剛性外側容器内に予め膨張させた可撓性材を備えるパックであって、液体製品が膨張した可撓性材内に保持されているパックにより、ユーザがパックを圧搾したり、または従来の補充パックの場合のような複雑な機械操作を実施したりする必要がないように、自動的な補充操作が提供されることを見出した。代わりに、本発明の新たなパックにより、ユーザは簡単に弁を開放することができ、外側からの空気圧をパックの内側にかけることができる。予め膨張させた可撓性材はその後、空気の力によりその元の形状に戻り、これにより補充パックから主パック内に、迅速かつ効率的に製品が吐出される。したがって、面倒なことなしに最小限の廃棄物で円滑に補充が実行される。したがって、製品を主容器内に補充するのがより迅速かつより容易である。
【先行技術文献】
【特許文献】
【００１９】
【特許文献１】欧州特許第２８３２６５８号明細書
【特許文献２】独国特許出願公開第１０２００８０１６７８９号明細書
【特許文献３】独国特許出願公開第２０２００４０１５１７７号明細書
【特許文献４】欧州特許第１３４８６４２号明細書
【特許文献５】独国特許第１９９１７５３０号明細書
【特許文献６】欧州特許第１０４７６１６号明細書
【特許文献７】国際公開第９６２８３５３号
【特許文献８】欧州特許第０５６７５７４号明細書
【特許文献９】米国特許第３２２３２８９号明細書
【特許文献１０】独国特許第１８７５０２５号明細書
【特許文献１１】米国特許出願公開第２０１１／１６８７１７号明細書
【特許文献１２】スイス特許第３５０５９８号明細書
【発明の概要】
【発明が解決しようとする課題】
【００２０】
本発明の第１の態様によれば、
液体製品用の補充パッケージであって、
（ａ）内面、開口、および吸気手段を備える剛性外側容器であって、開口が着脱式蓋を備え、吸気手段が封止可能なオリフィスおよびシール機構を備える剛性外側容器と、
（ｂ）液体製品を包含するための可撓性内側本体であって、可撓性内側本体が開口の周囲で剛性外側容器に接合されている可撓性内側本体と
を備える補充パッケージが提供される。
【００２１】
本発明の第２の態様によれば、
主パックを補充する方法であって、
ｉ）補充パッケージの開口が主パックの開口と整列するように、本発明の第１の態様において定められたような補充パッケージを主パックに対して配置するステップと、
ｉｉ）可撓性内側本体がその元の大きさにまで収縮し、したがって液体製品が整列した開口を通って主パック内に放出されるように、吸気手段を操作するステップと
を含む方法が提供される。
【００２２】
補充パッケージは液体製品を包含する可能性があってもよい。
【００２３】
ここで本発明の実施形態を、以下の非限定的な図面を参照して説明する。
【図面の簡単な説明】
【００２４】
【図１】本発明による補充パッケージの斜視図である。
【図２】本発明による、液体製品を充填した補充パッケージの斜視図である。
【図３Ａ】排出前の、補充操作中の補充パッケージの斜視図である。
【図３Ｂ】排出中における、補充操作中の補充パッケージの斜視図である。
【図４】充満された補充パッケージの製造を示す概略図である。
【図５】補充パッケージの使用方法を示す概略図である。
【発明を実施するための形態】
【００２５】
図１は、底壁（２）および内面（３）を有する剛性外側容器（１）と、予め膨張させた形態の可撓性内側本体（４）と、着脱式蓋（５）と、吸気手段（６）と
を備える補充パッケージの斜視図である。
【００２６】
図２は、底壁（２）および内面（３）を有する剛性外側容器（１）と、（液体製品を充填した）膨張した形態の可撓性内側本体（４）と、着脱式蓋（５）と、開口（７）と、吸気手段（６）とを有する補充パッケージの斜視図である。
【００２７】
図３Ａは、排出に先立つ主容器（８）内への補充操作中の補充パッケージの斜視図であり、剛性外側容器（１）と、（液体製品を充填した）膨張した形態の可撓性内側本体（４）と、主パックの開口（９）に係合した開口（７）と、シール（１０）およびオリフィス（１１）を備える密閉された吸気手段（６）とを示している。
【００２８】
図３Ｂは、排出中であり、主容器（８）内への補充操作中である補充パッケージの斜視図である。シール（１０）が取り外され、それに従って空気が、オリフィス（１１）を通って剛性外側容器（１）内に入ることができる。可撓性内側本体（４）がその元の形状に戻り、したがって液体製品（１２）が開口（７）を通って主容器（８）内に排出される。
【００２９】
図４は、充満された補充パッケージの製造を示す概略図である。ステップＡでは、本発明の補充パッケージは、剛性容器（１）、可撓性内側本体（４）、開口（７）、およびオリフィス（１１）を備える。ステップＢでは、空気が剛性外側容器から引き出され、真空が剛性外側容器の内面（３）と可撓性内側本体との間に形成され、したがって可撓性内側本体が拡張する。ステップＣでは、可撓性内側本体が十分に拡張し、オリフィスがシール（１０）で密閉され、密閉された吸気手段が形成される。ステップＤは、開口（７）を通した液体製品（１２）での拡張した可撓性内側本体（４）の充満を示している。ステップＥでは、可撓性内側本体は液体製品（１２）で満たされ、蓋が開口（７）と係合する。
【００３０】
図５は、補充パッケージの使用方法を示す概略図である。ステップＡでは、補充パッケージは、補充パッケージの開口（７）が主パックの開口（９）と整列するように、主パック（８）に対して配置される。吸気手段は、空気が剛性容器に入るように、シール（１０）を取り外すことによって操作される。ステップＢでは、空気により可撓性内側本体（４）が収縮し、したがって液体製品（１２）が主パック（８）内に放出される。ステップＣでは、可撓性内側本体（４）は、その元の平坦な形態に戻っており、この時点で液体製品（１２）は主容器（８）内に包含されている。
【００３１】
剛性外側容器
剛性外側容器は、内面、開口、および空気吸込手段を備える。
【００３２】
容器は、いかなる適切な形状であってもよい。容器は底壁を有することが好ましく、底壁は平坦であることが好ましい。
【００３３】
本発明の文脈では、剛性とは、内部の負圧に対してパックの形状を保持ことができることを意味する。
【００３４】
剛性外側容器は、例えばプラスチック、金属、または複合包装のような、その操作上必要な内部の負圧（真空）に対してパックの形状を保持することができるいかなる適切な材料からも作られる。
【００３５】
好ましいプラスチックは、単層または多層であってもよく、高密度ポリエチレン（ＨＤＰＥ）、ポリプロピレン（ＰＰ）、およびポリエチレンテレフタレート（ＰＥＴ）を含むことが好ましく、好ましい金属は、アルミニウム、錫、および鋼鉄を含み、好ましい複合包装は、板紙および複合板紙を含む。
【００３６】
開口は、補充操作または排出操作中、主パック容器と結合することができるように、適切な大きさであるべきである。本発明の文脈では、主パックとは、内部に液体製品が排出されることになるパックを意味する。開口は、例えばキャップまたはフィルムのような着脱式蓋を有し、キャップであることが好ましい。キャップは、ねじとねじ山とにより、または押し込み式で、開口に取り付けられることが好ましい。
【００３７】
吸気手段は、剛性外側容器に配置されている。容器が液体で充填されている場合、吸気手段の目的は、使用前には容器内の負圧を保つことであり、使用中には、操作の際に容器内に空気が流入しやすくすることである。弁が操作されると、空気が、可撓性内側本体と剛性外側容器の内面との間において、剛性外側容器内に流入する。
【００３８】
吸気手段は、封止可能なオリフィスおよびシール機構を備える。オリフィスの大きさは、容器内への空気の流量に影響を及ぼし、ひいては液体排出中の圧搾速度に関係する。
【００３９】
補充パッケージの準備中には、オリフィスを通って可撓性内側本体と剛性外側容器との間から空気が吸い出され、真空が生じる。オリフィスはその後、シール機構で密閉され、吸気手段が形成される。
【００４０】
吸気手段は、弁、蓋、またはシールであることが好ましい。
【００４１】
適切なシールには、粘着テープまたはフィルムが含まれる。このようなシールは、空気が剛性外側容器内に流入することができるように、例えば剥離または穿孔によって操作され得る。
【００４２】
適切な蓋には、キャップ、プラグ、ピン、ストッパ、フィルム等が含まれる。
【００４３】
吸気部が弁の場合、例えばゴム栓のような、吸気を制御するための弁部品が含まれる。
【００４４】
吸気手段は、剛性外側容器のいかなる位置にも配置することができ、これにより、ユーザに操作上の利便性が提供される。吸気手段は、パックの底壁、または底壁の近くの側壁に配置されていることが好ましく、底壁に配置されていることが最も好ましい。
【００４５】
補充パックは、液体の流れを制御するための出口弁および／または内側膜を有してもよい。このことは、液体製品が例えば水の粘度と同様に低粘度であり、液だれにつながる恐れがある場合に特に有用である。出口弁または内側膜は、液だれを低減または回避することができる。
【００４６】
補充パッケージは手持ち式補充容器であることが好ましく、液体製品用に１００ｍｌ〜１０００ｍｌの容量を有することが好ましく、２５０ｍｌ〜５００ｍｌの容量を有することがより好ましい。
【００４７】
可撓性内側本体
可撓性内側本体は、液体製品を包含するのに適している。
【００４８】
補充パッケージは、液体製品を包含してもよい。この場合、液体は、可撓性内側本体内に包含される。液体を包含する場合、可撓性内側本体は、剛性外側容器内で膨張した形態であることが想定される。
【００４９】
可撓性内側本体は、液体で満たされたような場合は圧力に応じて膨張可能であり、かつ液体が吐出された場合のような、圧力が取り去られた場合はその元の形状に戻ることができる、いかなる弾性材からも作られる。
【００５０】
可撓性内側本体は、弾力性のある合成高分子または天然ゴムである可能性がある。
【００５１】
可撓性内側本体は、開口の周囲で剛性外側容器に接合され、気密シールが形成される。したがって、パッケージが液体製品を包含する場合、液体製品が、剛性外側容器の内面と可撓性内側本体との間の空間に漏れる可能性はなくなる。操作中、液体本体が外に出る可能性がある唯一の方法は、補充パッケージの開口を通ることである。
【００５２】
液体製品
液体製品は、水よりも高粘度であることが好ましい。
【００５３】
液体製品がすすぎ用ヘアコンディショナー、ヘアマスク、または洗い流さないコンディショナー組成物である場合、この液体製品は、３０℃で、ブルックフィールドＲＶＴを用いて、スピンドルＡまたはスピンドルＢを使用し、０．５ｒｐｍで６０秒間、ヘリパススタンドを用いて測定された場合、粘度が５，０００センチポアズ〜７５０，０００センチポアズであることが適切であり、５０，０００センチポアズ〜６００，０００センチポアズであることが好ましく、５０，０００〜４５０，０００であることがより好ましい。
【００５４】
３０℃で、ブルックフィールドＲＶＴを用いて、スピンドルＡまたはスピンドルＢを使用し、０．５ｒｐｍで６０秒間、ヘリパススタンドを用いて測定された場合、本発明で使用するための洗い流さないコンディショナー製品は、粘度が５０，０００センチポアズ〜２５０，０００センチポアズであることが好ましく、好ましいヘアマスクは、粘度が１５０，０００センチポアズ〜６００，０００センチポアズであり、好ましいすすぎ用コンディショナーは、粘度が１５０，０００センチポアズ〜４００，０００センチポアズである。
【００５５】
液体製品がシャンプーまたは他の等方性製品である場合、この液体製品は、３０℃で、ブルックフィールドＲＶ５を用いて、２０ｒｐｍで６０秒間で測定された場合、粘度が３，０００〜１００，０００であることが適切であり、１０，０００〜７５，０００であることが好ましく、２０，０００センチポアズ〜５０，０００センチポアズであることがより好ましい。
【００５６】
好ましい液体製品には、ホームケア用品、パーソナルケア用品、または食品が含まれる。例としては、ヘアシャンプー、ヘアコンディショナー、ヘアトリートメント組成物、布用洗浄液、布用コンディショナー、ボディソープ、およびボディケアリキッドが挙げられる。食品部門では、マヨネーズおよびケチャップ等のソース、ならびにオイルが挙げられる。
【００５７】
他の分野では、自動車用潤滑油が適切な液体製品である。
【００５８】
方法
主パックを補充する方法であって、
ｉ）補充パッケージの開口が主パックの開口と整列するように、主パックに対して補充パッケージを配置するステップと、
ｉｉ）空気が剛性外側容器に入り、可撓性内側本体が収縮してその元の大きさになり、したがって液体製品が主パック内に放出されるように、吸気手段を操作するステップと
を含む方法。
【００５９】
液体製品は、負圧下で膨張した可撓性材内に保持される。ユーザは、外側からの空気圧をパック内にかけることができるように弁を開放する。予め膨張させた可撓性材はその後、その元の形状に戻り、これにより製品が、迅速かつ効率的に補充パックから主パック内に、容器を圧搾または操作する必要なく吐出される。残留物はほとんど残らない。
【図１】
0006987748.tif 000002
【図２】
0006987748.tif 000003
【図３Ａ】
0006987748.tif 000004
【図３Ｂ】
0006987748.tif 000005
【図４】
0006987748.tif 000006
【図５】
0006987748.tif 000007